(57)【要約】【課題】吐水ヘッドとセンサ部材を併用する場合に良好な使い勝手を得られる技術を提供する。【解決手段】入口部４６ａから奥側に広がる内部通路４６が形成された装置本体３６と、内部通路４６に収容され、被検知物を検知可能なセンサ部材２８と、装置本体３６に脱着可能に装着され、センサ部材２８の検知結果に基づき吐水するための吐水ヘッド２６と、を備え、吐水ヘッド２６は、入口部４６ａを通して出し入れ可能に内部通路４６に収容される。装置本体３６は、内部通路４６が形成された吐水管４２と、内部通路４６に収容されるヘッドホルダー４４とを有し、ヘッドホルダー４４は、吐水ヘッド２６をガイド可能なガイド部４４ｈを有してもよい。【選択図】図５
2019027252.tif 000002
【特許請求の範囲】
【請求項１】
入口部から奥側に広がる内部通路が形成された装置本体と、
前記内部通路に収容され、被検知物を検知可能なセンサ部材と、
前記装置本体に脱着可能に装着され、前記センサ部材の検知結果に基づき吐水するための吐水ヘッドと、を備え、
前記吐水ヘッドは、前記入口部を通して出し入れ可能に前記内部通路に収容される吐水装置。
【請求項２】
前記吐水ヘッドは、前記装置本体に装着された状態にあるとき、前記吐水ヘッドの出し入れ方向での位置が前記センサ部材と重なるように設けられる請求項１に記載の吐水装置。
【請求項３】
前記装置本体は、前記内部通路が形成された外部部材と、前記内部通路に収容される内部部材とを有し、
前記内部部材は、前記入口部を通して出し入れされる前記吐水ヘッドをガイド可能なガイド部を有する請求項１または２に記載の吐水装置。
【請求項４】
前記装置本体には、前記入口部から前記内部通路の奥側に延びる切欠部が形成され、
前記吐水ヘッドは、前記入口部を通して出し入れされるヘッド本体と、前記切欠部を通るように前記ヘッド本体から突き出る持ち手とを有し、
前記ガイド部は、前記ヘッド本体を挟んで前記持ち手とは反対側に設けられる請求項３に記載の吐水装置。
【請求項５】
前記装置本体は、前記内部通路が形成された外部部材と、前記内部通路に収容される内部部材とを有し、
前記内部部材は、前記吐水ヘッドが収容されるヘッド収容室と、前記センサ部材が収容されるセンサ収容室とに前記内部通路を区画する請求項１から４のいずれかに記載の吐水装置。
【請求項６】
前記外部部材は、前記内部通路が形成される吐水管であり、
前記内部部材は、前記吐水管の管軸方向に直交する断面において、前記ヘッド収容室と前記センサ収容室に前記内部通路を区画する請求項５に記載の吐水装置。
【請求項７】
前記装置本体は、前記内部通路が形成された外部部材と、前記内部通路に収容される内部部材とを有し、
前記内部部材は、前記入口部を通して前記内部通路に前記吐水ヘッドを入れるときに、前記吐水ヘッドを突き当て可能な当て部を有する請求項１から６のいずれかに記載の吐水装置。
【請求項８】
前記装置本体に前記吐水ヘッドが装着された状態にあるとき、前記吐水ヘッドの先端は、前記入口部と揃えた位置、又は、前記入口部より奥側に設けられる請求項１から７のいずれかに記載の吐水装置。
【発明の詳細な説明】
【技術分野】
【０００１】
本発明は、吐水装置に関する。
【背景技術】
【０００２】
従来より、装置本体に脱着可能に装着される吐水ヘッドを備えた吐水装置が知られている（特許文献１参照）。この吐水装置では、装置本体から取り外した吐水ヘッドをハンドシャワーとして利用でき、良好な使い勝手を得られる。
【先行技術文献】
【特許文献】
【０００３】
【特許文献１】特開２０１６−９８５７８号公報
【発明の概要】
【発明が解決しようとする課題】
【０００４】
吐水装置では、特許文献１に記載のように、前述の吐水ヘッドとともに、吐水ヘッドの吐水の有無をハンズフリーで切り替えられるようにセンサ部材を併用する場合がある。この場合、吐水ヘッドがしっかりと装着されていない状態のもと、センサ部材により被検知物が検知されることで、吐水ヘッドが不意に吐水するケースが生じ得る。このようなケースが生じると、吐水流の勢いにより吐水ヘッドが大きく動いてしまい、周囲のものを濡らす恐れがある。
【０００５】
本発明のある態様は、このような課題に鑑みてなされ、その目的の１つは、吐水ヘッドとセンサ部材を併用する場合に良好な使い勝手を得られる技術を提供することにある。
【課題を解決するための手段】
【０００６】
本発明の第１態様は吐水装置である。第１態様の吐水装置は、入口部から奥側に広がる内部通路が形成された装置本体と、前記内部通路に収容され、被検知物を検知可能なセンサ部材と、前記装置本体に脱着可能に装着され、前記センサ部材の検知結果に基づき吐水するための吐水ヘッドと、を備え、前記吐水ヘッドは、前記入口部を通して出し入れ可能に前記内部通路に収容される。
【０００７】
第１態様によれば、装置本体に吐水ヘッドがしっかりと装着されていない状態にあるとき、装置本体の内部通路に吐水ヘッドが収容されない構造と比べ、その内部通路に吐水ヘッドの少なくとも一部が収容される状況を実現し易くなる。このため、吐水ヘッドがしっかりと装着されていない状態のもと、センサ部材により被検知物が検知されることで、吐水ヘッドが不意に吐水した場合でも、装置本体の内面により吐水ヘッドの動きを拘束し易くなる。これにより、吐水ヘッドとセンサ部材を併用する場合に良好な使い勝手を得られる。
【図面の簡単な説明】
【０００８】
【図１】本実施形態の吐水装置の設置状態を示す側面図である。
【図２】本実施形態の吐水ユニットの構成図である。
【図３】本実施形態の吐水装置の側面断面図である。
【図４】本実施形態の吐水管の側面断面図である。
【図５】図３の拡大図である。
【図６】本実施形態の吐水ヘッドを吐水管の入口部から吐水ヘッドを出し入れしている途中状態を示す図である。
【図７】本実施形態の吐水管の入口部を斜め下側から見た図である。
【図８】本実施形態のヘッドホルダーの斜視図である。
【図９】図５のＡ−Ａ線断面図である。
【図１０】図５のＢ−Ｂ線端面図である。
【発明を実施するための形態】
【０００９】
以下、実施形態、変形例では、同一の構成要素に同一の符号を付し、重複する説明を省略する。また、各図面では、説明の便宜のため、構成要素の一部を適宜省略したり、構成要素の寸法を適宜拡大、縮小して示す。
【００１０】
図１は、本実施形態の吐水ユニット１０に用いられる吐水装置１２の設置状態を示す側面図である。本実施形態の吐水装置１２はキッチン等の流し台１４の表面に設置される。流し台１４は、表側空間１４ａと裏側空間１４ｂを隔てるとともに吐水装置１２とは別体に設けられ、吐水装置１２を支持する基体の一例となる。
【００１１】
図２は、吐水ユニット１０の構成図である。本図では水路を破線で示す。本実施形態の吐水ユニット１０は水栓として機能する。吐水ユニット１０は、主に、吐水装置１２と、温度調整弁１６と、流量調整弁１８と、電気駆動弁２０と、制御部２２と、を備える。
【００１２】
図１、図２に示すように、吐水装置１２は、給水源から給水路２４を通して送られる水を後述する吐水ヘッド２６の吐水口２６ａから吐き出し可能である。給水路２４には、上流側から下流側にかけて順に、温度調整弁１６、流量調整弁１８、電気駆動弁２０が設置される。各弁１６、１８、２０は裏側空間１４ｂに配置される。
【００１３】
吐水装置１２は、所定の検知エリア内での被検知物の有無を検知するための第１センサ部材２８及び第２センサ部材３０を備える。第１センサ部材２８及び第２センサ部材３０のそれぞれは光学センサ、つまり、非接触式センサである。第１センサ部材２８の検知エリアは、後述する吐水管４２の入口部４６ａの外側に設けられる。第２センサ部材３０の検知エリアは、後述する吐水管４２の外周側に設けられる。
【００１４】
温度調整弁１６は湯水混合弁であり、温水供給管１６ａから供給される温水と冷水供給管１６ｂから供給される冷水の混合比を調整することにより、給水路２４の吐水ヘッド２６側に流出する水の温度を調整可能である。この温度は、吐水装置１２に組み込まれる第１操作部材３２に対する操作を通じ、温度調整弁１６を作動させることにより調整される。
【００１５】
流量調整弁１８は、弁部の開度を調整することにより、給水路２４の吐水ヘッド２６側に流出する水の流量を調整可能である。この流量は、吐水装置１２に組み込まれる第２操作部材３４に対する操作を通じ、流量調整弁１８を作動させることにより調整される。
【００１６】
電気駆動弁２０は、電磁弁、電動弁等である。吐水ヘッド２６は、電気駆動弁２０が開状態にあるときに吐水する吐水状態となり、電気駆動弁２０が閉状態にあるときに吐水が停止する吐水停止状態となる。吐水ヘッド２６は、吐水状態にあるとき、温度調整弁１６、流量調整弁１８により調整された温度かつ流量の吐水流を吐き出す。
【００１７】
制御部２２は、ワンチップマイクロコンピュータ等であり、ＣＰＵ、ＲＡＭ、ＲＯＭ等を組み合わせて構成される。本実施形態の制御部２２は、吐水装置１２に組み込まれる。制御部２２は、第１センサ部材２８や第２センサ部材３０の検知結果に応じて電気駆動弁２０を開閉するように制御する。第１センサ部材２８や第２センサ部材３０を用いることで、操作部材３２、３４に対する接触を伴うことなく、ハンズフリーで吐水ヘッド２６の吐水の有無を切り替えられる。このように、吐水ヘッド２６は、第１センサ部材２８や第２センサ部材３０の検知結果に基づき吐水するためのものである。
【００１８】
図３は、吐水装置１２の側面断面図である。吐水装置１２は、主に、装置本体３６と、給水ホース３８と、第１センサ部材２８と、吐水ヘッド２６とを備える。
【００１９】
装置本体３６は、支持部材４０と、吐水管４２と、ヘッドホルダー４４とを有する。支持部材４０は、不図示のねじ構造等を用いて流し台１４に固定される。吐水管４２は、支持部材４０により支持される。吐水管４２は、いわゆるグースネック状をなしている。本実施形態の吐水管４２は金属を素材として構成される。
【００２０】
装置本体３６には、入口部４６ａから奥側に広がり出口部４６ｂに至る内部通路４６が形成される。本実施形態の内部通路４６は、吐水管４２や支持部材４０に形成される。内部通路４６には、吐水装置１２の内部部品が配置される。ここでの内部部品とは、ヘッドホルダー４４、給水ホース３８、第１センサ部材２８、第２センサ部材３０等である。これら内部部品は、吐水装置１２の組み立て時、入口部４６ａから内部通路４６に挿入される。
【００２１】
図４は、吐水管４２の側面断面図である。本実施形態の内部通路４６は、入口側から出口側に向かって順に、上向きに直線状に延びる第１ストレート部４６ｃと、上向きに凸となる曲げ部４６ｄと、下向きに直線状に延びる第２ストレート部４６ｅとを有する。吐水管４２も同様の部を有する。第１ストレート部４６ｃは、曲げ部４６ｄとの境界位置４６ｆより入口側に向かうにつれて拡径するテーパー状をなす。本実施形態の入口部４６ａは、吐水管４２の先端部に設けられ、下向きに開いている。
【００２２】
図５は、図３の拡大図である。図６は、吐水ヘッド２６を吐水管４２の入口部４６ａから吐水ヘッド２６を出し入れしている途中状態を示す図である。吐水ヘッド２６は、この入口部４６ａを通して出し入れ可能に内部通路４６に収容される。この入口部４６ａを通して吐水ヘッド２６が出し入れされる方向を出し入れ方向Ｐａとする。
【００２３】
図７は、吐水管４２の入口部４６ａを斜め下側から見た図である。図５、図７に示すように、吐水管４２には、入口部４６ａが開口する開口面４２ａから内部通路４６の奥側に延びる切欠部４２ｂが形成される。切欠部４２ｂは、入口部４６ａの開口面４２ａから吐水ヘッド２６の出し入れ方向Ｐａに延びるスリット状をなす。本実施形態の開口面４２ａは吐水管４２の先端面である。切欠部４２ｂは、吐水管４２の外部空間と内部通路４６を隔てる外壁部に形成される。
【００２４】
図８は、未変形状態にあるヘッドホルダー４４の斜視図である。図５、図８に示すように、ヘッドホルダー４４は、内部通路４６の入口側部分に収容され、ビス等の締結具４８を用いて吐水管４２に固定される。本実施形態のヘッドホルダー４４は樹脂を素材として構成される一体成形品である。ヘッドホルダー４４は、吐水管４２の入口部４６ａから奥側に広がるヘッド収容室５０を形成するヘッド収容部４４ａと、吐水ヘッド２６の出し入れ箇所を少なくとも残して入口部４６ａを部分的に塞ぐ端板部４４ｂとを有する。端板部４４ｂには、第１センサ部材２８の一部が嵌め込まれる第１窓部４４ｃが形成される。
【００２５】
ヘッド収容部４４ａは、吐水ヘッド２６の出し入れ方向Ｐａに延びる隔壁部４４ｄと、ヘッド収容室５０の奥側に設けられる奥壁部４４ｅとを有する。奥壁部４４ｅには、給水ホース３８が挿通されるホース挿通孔４４ｆが形成される。
【００２６】
なお、ヘッドホルダー４４は、ヘッド収容部４４ａより内部通路４６の奥側に配置されるホースガイド部４４ｇを有する。ホースガイド部４４ｇは、内部通路４６の曲げ部４６ｄ内に曲げ変形した状態で挿通され、内側に挿通される給水ホース３８をガイドする役割を持つ。
【００２７】
図９は、図５のＡ−Ａ線断面図である。本図では吐水ヘッド２６、第１センサ部材２８の内部構造を省略してハッチングを付す。本実施形態のヘッドホルダー４４の隔壁部４４ｄは、内部通路４６を画定する吐水管４２の内壁面との間にヘッド収容室５０を形成する。本実施形態の隔壁部４４ｄは、隔壁部４４ｄを挟んでヘッド収容室５０とは反対側で吐水管４２の内壁面との間にセンサ収容室５２を形成する。ヘッドホルダー４４は、ヘッド収容室５０とセンサ収容室５２とに内部通路４６を区画していることになる。ヘッドホルダー４４は、吐水管４２の中心軸線に沿った管軸方向に直交する断面において、吐水管４２の内部通路４６をヘッド収容室５０とセンサ収容室５２に区画している。本図は厳密にはこの断面を示すものではないが、本図をもってこのことを示す。図５に示すように、ヘッド収容室５０とセンサ収容室５２は、吐水管４２の第１ストレート部４６ｃと曲げ部４６ｄの境界位置４６ｆより内部通路４６の入口側に設けられる。
【００２８】
給水ホース３８は、フレキシブルホース等であり、可撓性を持つ素材を用いて構成される。給水ホース３８の内部には前述の給水路２４が形成される。給水ホース３８は、ヘッドホルダー４４のホース挿通孔４４ｆに抜挿可能に挿通される。給水ホース３８は、内部通路４６を通して出口部４６ｂから流し台１４の裏側空間１４ｂに引き出され（図１参照）、その裏側空間１４ｂに配置される電気駆動弁２０に接続される（図２参照）。
【００２９】
第１センサ部材２８は、センサケースの内部に発光素子、受光素子等のセンサ素子を収容して構成される。第１センサ部材２８は、内部通路４６の入口側部分、詳しくは、前述のセンサ収容室５２に収容される。第１センサ部材２８は、吐水管４２の内周面に当てられた状態でヘッドホルダー４４の隔壁部４４ｄにより下側から支持されることで、内部通路４６内での位置が保持される。
【００３０】
第１センサ部材２８の検知エリア２８ａは、ヘッドホルダー４４の第１窓部４４ｃの外側、つまり、吐水管４２の入口部４６ａの外側に設けられる。第１センサ部材２８は、第１窓部４４ｃから外側の検知エリア２８ａに向けて発光素子から検知光を投光し、検知光の反射光を受光素子により受光することで被検知物を検知可能である。この反射光は、被検知物に検知光が当たることで生じる。
【００３１】
吐水ヘッド２６は、給水ホース３８の下流端部に接続される。吐水ヘッド２６は、内部通路４６の入口側部分、詳しくは、前述のヘッド収容室５０内に収容される。吐水ヘッド２６は、吐水管４２の入口部４６ａから出し入れ可能なヘッド本体２６ｂと、ヘッド本体２６ｂと給水ホース３８を接続するカプラ２６ｃと、吐水管４２の切欠部４２ｂを通るようにヘッド本体２６ｂから突き出る持ち手２６ｄとを有する。吐水ヘッド２６の外面部分は樹脂を素材として構成される。ヘッド本体２６ｂは筒状断面をなし、その先端部には吐水口２６ａが形成される。ヘッド本体２６ｂやカプラ２６ｃの内部には通水路（不図示）が形成される。吐水ヘッド２６は、給水ホース３８から流入する水を通水路を通して吐水口２６ａから吐き出し可能である。持ち手２６ｄは、吐水管４２の入口部４６ａを通してヘッド本体２６ｂを出し入れするときに使用者に持たれる箇所である。
【００３２】
吐水ヘッド２６は、ヘッド装着機構５４により装置本体３６のヘッドホルダー４４に脱着可能に装着される。ヘッド装着機構５４は、装置本体３６及びヘッドユニットの一方に取り付けられる弾性部材５４ａを有する。ここでのヘッドユニットとは、吐水ヘッド２６と給水ホース３８を一つのユニットとして捉えたものである。本実施形態の弾性部材５４ａは装置本体３６のヘッドホルダー４４に取り付けられる。本実施形態の弾性部材５４ａはバネ性を持つ金属製の線ばねを用いて構成される。ヘッド装着機構５４は、装置本体３６及びヘッドユニットの他方に弾性部材５４ａが出し入れ方向Ｐａに係合することにより、装置本体３６に吐水ヘッド２６を装着した状態に保持する。これを実現するため、本実施形態の弾性部材５４ａは吐水ヘッド２６のカプラ２６ｃの一部に出し入れ方向Ｐａに係合する。
【００３３】
図５、図６に示すように、吐水ヘッド２６は、弾性部材５４ａの弾性変形に起因する弾性力に抗して、吐水管４２の入口部４６ａを通して出し入れ方向Ｐａに動かすことにより、ヘッドホルダー４４に脱着可能である。吐水ヘッド２６は、弾性部材５４ａの弾性力に抗して、入口部４６ａを通して入れる方向Ｐｂに動かされると、図５に示すように、ヘッド装着機構５４によりヘッドホルダー４４に装着された状態となる。一方、吐水ヘッド２６は、弾性部材５４ａの弾性力に抗して、入口部４６ａを通して出す方向Ｐｃに引き出されると、図６に示すように、ヘッド装着機構５４によりヘッドホルダー４４に装着されていない状態（以下、非装着状態という）になる。吐水ヘッド２６は、非装着状態にあるとき、装置本体３６に対する自由な動きが許容され、ハンドシャワーとして利用できる。
【００３４】
ここで、前述の通り、吐水ヘッド２６は、吐水管４２の内部通路４６にあるヘッド収容室５０に収容される。この条件は、図５に示すように、ヘッド装着機構５４により吐水ヘッド２６がヘッドホルダー４４に装着されている状態にあるときに満たされる。この状態にあるとき、吐水ヘッド２６は、吐水管４２の内部通路４６で第１センサ部材２８と出し入れ方向Ｐａでの位置が重なるように設けられる。この状態にあるとき、本実施形態の吐水ヘッド２６の先端２６ｅは、吐水管４２の入口部４６ａと出し入れ方向Ｐａに揃えた位置に設けられる。ここでの吐水ヘッド２６の先端２６ｅとは、吐水ヘッド２６が入口部４６ａから出る方向Ｐｃでの吐水ヘッド２６の端をいう。ここでいう「揃えた位置」とは、吐水ヘッド２６の先端２６ｅと吐水管４２の入口部４６ａとが完全に段差なく出し入れ方向Ｐａに揃えた位置にある場合のみをいうのではなく、両者の間に僅かな段差がある場合も含む。ここでの僅かな段差とは、たとえば、２ｍｍ以下の段差である。
【００３５】
図５、図９に示すように、ヘッドホルダー４４は、吐水管４２の入口部４６ａから出し入れされる吐水ヘッド２６のヘッド本体２６ｂをガイド可能なガイド部４４ｈを有する。ガイド部４４ｈは、ヘッドホルダー４４の隔壁部４４ｄのヘッド収容室５０を向く箇所に設けられる。本実施形態のガイド部４４ｈは、ヘッド本体２６ｂを挟んで持ち手２６ｄとは反対側に設けられる。ガイド部４４ｈは、ガイド部４４ｈと対向するヘッド本体２６ｂの外周面に合う形状をなす。本実施形態のガイド部４４ｈは、吐水ヘッド２６の凸面状の外周面と合うような凹面状をなす。本実施形態のガイド部４４ｈは、吐水ヘッド２６の外周面の半周以上の部分を取り囲む形状であり、その半周以上の部分に合うような形状である。吐水ヘッド２６のヘッド本体２６ｂは、ガイド部４４ｈに対するスライドを伴い吐水管４２の入口部４６ａから出し入れされる。
【００３６】
以上の吐水装置１２の効果を説明する。
吐水ヘッド２６は、装置本体３６の内部通路４６に入口部４６ａを通して出し入れ可能に収容される。よって、装置本体３６に吐水ヘッド２６がしっかりと装着されていない状態にあるとき、装置本体３６の内部通路４６に吐水ヘッド２６が収容されない構造と比べ、その内部通路４６に吐水ヘッド２６の少なくとも一部が収容される状況を実現し易くなる。このため、吐水ヘッド２６がしっかりと装着されていない状態のもと、第１センサ部材２８により被検知物が検知されることで、吐水ヘッド２６が不意に吐水した場合でも、装置本体３６の内面により吐水ヘッド２６の動きを拘束し易くなる。これにより、吐水流の勢いにより吐水ヘッド２６が大きく動いてしまうことで、周囲のものを濡らす事態を抑制し易くなる。これに伴い、吐水ヘッド２６と第１センサ部材２８を併用する場合に良好な使い勝手を得られる。
【００３７】
また、吐水ヘッド２６は装置本体３６に収容されるため、その全体が装置本体３６の外部に配置されるよりも、吐水ヘッド２６と装置本体３６の継ぎ目ができる範囲を小さくできる。一般に、複数部材の継ぎ目には汚れが溜まり易いうえ、その継ぎ目に汚れが溜まってしまうと取り難い傾向がある。よって、吐水ヘッド２６と装置本体３６の継ぎ目を小さくすることで、良好な清掃性を得られる。
【００３８】
ヘッドホルダー４４は、吐水管４２の入口部４６ａを通して出し入れされる吐水ヘッド２６をガイド可能なガイド部４４ｈを有する。よって、吐水管４２の入口部４６ａを通して吐水ヘッド２６を出し入れするうえで、吐水管４２により吐水ヘッド２６がガイドされる事態を避け易くなり、吐水管４２との接触に伴う吐水ヘッド２６の摩耗を抑制できる。特に、吐水管４２を金属製とし、吐水ヘッド２６の外面部分を樹脂製とした場合、吐水管４２との接触に伴い吐水ヘッド２６が摩耗し易くなるが、この対策を図れる点で利点がある。また、吐水ヘッド２６の外面部分を樹脂製とし、ヘッドホルダー４４のガイド部４４ｈを樹脂製とした場合、ヘッドホルダー４４との接触に伴う吐水ヘッド２６の摩耗も抑制できる。
【００３９】
ヘッドホルダー４４のガイド部４４ｈは、ヘッド本体２６ｂを挟んで持ち手２６ｄとは反対側に設けられる。よって、吐水ヘッド２６の持ち手２６ｄを持った状態のまま、ヘッドホルダー４４のガイド部４４ｈに吐水ヘッド２６のヘッド本体２６ｂを押し当てつつ、吐水管４２の入口部４６ａを通して吐水ヘッド２６を出し入れする作業をし易くなる。このため、吐水管４２の入口部４６ａを通して吐水ヘッド２６を出し入れするうえで、吐水管４２により吐水ヘッド２６がガイドされる事態をより避け易くなり、吐水管４２との接触に伴う吐水ヘッド２６の摩耗をより抑制できる。
【００４０】
ヘッドホルダー４４は、吐水管４２の内部通路４６をヘッド収容室５０とセンサ収容室５２とに区画する。よって、吐水管４２の内部通路４６に狭隘なスペースしかない場合でも、吐水ヘッド２６と第１センサ部材２８の干渉をヘッドホルダー４４により避けつつ、これらを内部通路４６に収容できる。
【００４１】
ヘッドホルダー４４は、吐水管４２の管軸方向に直交する断面において、吐水管４２の内部通路４６をヘッド収容室５０とセンサ収容室５２に区画している。よって、吐水管４２の横断面に見られる狭隘なスペースを有効に活用して吐水ヘッド２６と第１センサ部材２８を収容でき、吐水装置１２全体の小型化を図れる。
【００４２】
（Ａ）ヘッドホルダー４４に吐水ヘッド２６が装着された状態にあるとき、吐水ヘッド２６の先端２６ｅは、吐水管４２の入口部４６ａと揃えた位置に設けられる。よって、ヘッドホルダー４４に吐水ヘッド２６が装着されていない状態になり、吐水管４２の入口部４６ａから吐水ヘッド２６がはみ出ると、その変化が外観に目立って現われ易くなる。このため、未装着状態にある吐水ヘッド２６を視覚により容易に把握でき、未装着状態であることに伴う不具合を未然に防止できる。
【００４３】
なお、前述の（Ａ）の効果を得る観点からは、吐水ヘッド２６が装着状態にあるとき、吐水ヘッド２６の先端２６ｅは、吐水管４２の入口部４６ａより奥側に設けられていてもよい。
【００４４】
次に、吐水装置１２の他の特徴を説明する。
図５に示すように、ヘッドホルダー４４は、吐水管４２の入口部４６ａを通して内部通路４６に吐水ヘッド２６を入れるときに、吐水ヘッド２６を突き当て可能な当て部４４ｉを有する。本実施形態の当て部４４ｉは、ヘッド収容部４４ａの奥壁部４４ｅに設けられ、給水ホース３８の周りに連続する環状をなしている。吐水ヘッド２６のヘッド本体２６ｂは、吐水口２６ａが形成されている先端部とは出し入れ方向Ｐａの反対側にある基端部がヘッドホルダー４４の当て部４４ｉに突き当てられる。このヘッド本体２６ｂの基端部には給水ホース３８がカプラ２６ｃを介して接続される。
【００４５】
吐水ヘッド２６の持ち手２６ｄは、ヘッドホルダー４４の当て部４４ｉに吐水ヘッド２６のヘッド本体２６ｂを突き当てたとき、吐水管４２の切欠部４２ｂの奥壁面４２ｃに対して出し入れ方向Ｐａに間を置いて設けられる。吐水ヘッド２６は、吐水管４２の入口部４６ａを通して内部通路４６に入れるとき、吐水管４２には突き当てられず、ヘッドホルダー４４の当て部４４ｉに突き当てられることになる。ヘッドホルダー４４の当て部４４ｉに吐水ヘッド２６を突き当てた状態にあるとき、吐水ヘッド２６は、ヘッド装着機構５４によりヘッドホルダー４４に装着された状態になる。
【００４６】
これにより、吐水管４２の入口部４６ａから内部通路４６に吐水ヘッド２６を入れるうえで、吐水管４２に吐水ヘッド２６が突き当てられる事態を避け易くなり、吐水管４２との接触に伴う吐水ヘッド２６の摩耗を抑制できる。
【００４７】
図１０は、図５のＢ−Ｂ線端面図である。図９、図１０に示すように、ヘッド収容室５０は、吐水管４２の内周面と、ヘッドホルダー４４のガイド部４４ｈの内周面とが部分的に形成している。図１０に示すように、本実施形態の吐水ヘッド２６は、ヘッド収容室５０の奥側領域では吐水管４２の内周面に接触しており、吐水管４２により支持される。一方、図９に示すように、本実施形態の吐水ヘッド２６は、ヘッド収容室５０の入口側領域では吐水管４２の内周面から間を置いて配置される。これにより、吐水管４２の内周面に対する吐水ヘッド２６の接触範囲を小さくでき、吐水管４２との接触に伴う吐水ヘッド２６の摩耗を抑制できる。
【００４８】
図１０に示すように、吐水ヘッド２６のヘッド本体２６ｂの外周面は、吐水管４２の内周面と対向する箇所で第１の曲率半径の曲面状をなしている。吐水管４２の内周面は、ヘッド本体２６ｂの外周面と対向する箇所で第２の曲率半径の曲面状をなしている。第２の曲率半径は、第１の曲率半径より大きくなるように設定される。これにより、吐水管４２の内周面に対する吐水ヘッド２６の接触範囲を小さくでき、吐水管４２との接触に伴う吐水ヘッド２６の摩耗を抑制できる。
【００４９】
以上、本発明の実施形態の例について詳細に説明した。前述した実施形態は、いずれも本発明を実施するにあたっての具体例を示したものにすぎない。実施形態の内容は、本発明の技術的範囲を限定するものではなく、請求の範囲に規定された発明の思想を逸脱しない範囲において、構成要素の変更、追加、削除等の多くの設計変更が可能である。前述の実施形態では、このような設計変更が可能な内容に関して、「実施形態の」「実施形態では」等との表記を付して強調しているが、そのような表記のない内容でも設計変更が許容される。また、図面の断面に付したハッチングは、ハッチングを付した対象の材質を限定するものではない。
【００５０】
吐水管４２とヘッドホルダー４４は、入口部４６ａから奥側に広がる内部通路４６が形成される外部部材と、その内部通路４６に収容される内部部材との組み合わせの一例として説明した。これらの組み合わせは、吐水管４２とヘッドホルダー４４に限定されるものではない。また、内部部材は、外部部材の内部通路４６をヘッド収容室５０とセンサ収容室５２に区画する例を説明したが、これらに区画していなくともよい。
【００５１】
装置本体３６は外部部材（吐水管４２）と内部部材（ヘッドホルダー４４）を備える例を説明したが、外部部材のみでもよい。この場合、吐水ヘッド２６は外部部材に直接に脱着可能に装着されてもよい。
【００５２】
第１センサ部材２８と吐水ヘッド２６は、吐水管４２の内部通路４６で吐水ヘッド２６の出し入れ方向Ｐａでの位置が重なるように収容される例を説明したが、これらの内部通路４６での位置は特に限定されない。たとえば、吐水ヘッド２６より内部通路４６の奥側に第１センサ部材２８を収容してもよい。
【００５３】
内部部材（ヘッドホルダー４４）は、外部部材（吐水管４２）の入口部４６ａを通して出し入れされる吐水ヘッド２６をガイド可能なガイド部４４ｈを有する例を説明したが、ガイド部４４ｈを有していなくともよい。また、ガイド部４４ｈを有する内部部材は樹脂製であり、外部部材は金属製である例を説明したが、これらの素材の組み合わせはこれらに限定されない。ガイド部４４ｈを有する内部部材、外部部材の両方を樹脂製としてもよい。
【００５４】
吐水ヘッド２６の持ち手２６ｄは、ヘッド本体２６ｂを挟んで内部部材のガイド部４４ｈとは反対側に設けられる例を説明したが、内部部材のガイド部４４ｈに対する相対位置は特に限定されない。また、吐水ヘッド２６は持ち手２６ｄがなくともよい。この場合、たとえば、吐水ヘッド２６が装着状態にあるとき、装置本体３６の入口部４６ａから吐水ヘッド２６の一部をはみ出すようにしておけば、そのはみ出し箇所に持ち手２６ｄの機能を担わせられる。
【００５５】
吐水ヘッド２６を突き当て可能な当て部４４ｉは装置本体の内部部材に設けられる例を説明したが、外部部材に設けられていてもよい。
【００５６】
以上の実施形態、変形例により具体化される発明を一般化すると、以下の技術的思想が導かれる。以下、発明が解決しようとする課題に記載の態様を用いて説明する。
【００５７】
第２態様の吐水装置は、第１態様において、前記吐水ヘッドは、前記装置本体に装着された状態にあるとき、前記吐水ヘッドの出し入れ方向での位置が前記センサ部材と重なるように設けられてもよい。
【００５８】
第３態様の吐水装置は、第１または第２態様において、前記装置本体は、前記内部通路が形成された外部部材と、前記内部通路に収容される内部部材とを有し、前記内部部材は、前記入口部を通して出し入れされる前記吐水ヘッドをガイド可能なガイド部を有してもよい。
この態様によれば、外部部材の入口部を通して吐水ヘッドを出し入れするうえで、外部部材により吐水ヘッドがガイドされる事態を避け易くなり、外部部材との接触に伴う吐水ヘッドの摩耗を抑制できる。
【００５９】
第４態様の吐水装置は、第３態様において、前記装置本体には、前記入口部から前記内部通路の奥側に延びる切欠部が形成され、前記吐水ヘッドは、前記入口部を通して出し入れされるヘッド本体と、前記切欠部を通るように前記ヘッド本体から突き出る持ち手とを有し、前記ガイド部は、前記ヘッド本体を挟んで前記持ち手とは反対側に設けられてもよい。
この態様によれば、外部部材の入口部を通して吐水ヘッドを出し入れするうえで、外部部材により吐水ヘッドがガイドされる事態をより避け易くなり、外部部材との接触に伴う吐水ヘッドの摩耗をより抑制できる。
【００６０】
第５態様の吐水装置は、第１から第４態様のいずれかにおいて、前記装置本体は、前記内部通路が形成された外部部材と、前記内部通路に収容される内部部材とを有し、前記内部部材は、前記吐水ヘッドが収容されるヘッド収容室と、前記センサ部材が収容されるセンサ収容室とに前記内部通路を区画してもよい。
この態様によれば、外部部材の内部通路に狭隘なスペースしかない場合でも、吐水ヘッドとセンサ部材の干渉を内部部材により避けつつ、これらを内部通路に収容できる。
【００６１】
第６態様の吐水装置は、第５態様において、前記外部部材は、前記内部通路が形成される吐水管であり、前記内部部材は、前記吐水管の管軸方向に直交する断面において、前記ヘッド収容室と前記センサ収容室に前記内部通路を区画してもよい。
この態様によれば、吐水管の横断面に見られる狭隘なスペースを有効に活用して吐水ヘッドとセンサ部材を収容でき、吐水装置全体の小型化を図れる。
【００６２】
第７態様の吐水装置は、第１から第６態様のいずれかにおいて、前記装置本体は、前記内部通路が形成された外部部材と、前記内部通路に収容される内部部材とを有し、前記内部部材は、前記入口部を通して前記内部通路に前記吐水ヘッドを入れるときに、前記吐水ヘッドを突き当て可能な当て部を有してもよい。
この態様によれば、外部部材の入口部から内部通路に吐水ヘッドを入れるうえで、外部部材に吐水ヘッドが突き当てられる事態を避け易くなり、外部部材との接触に伴う吐水ヘッドの摩耗を抑制できる。
【００６３】
第８態様の吐水装置は、第１から第７態様のいずれかにいて、前記装置本体に前記吐水ヘッドが装着された状態にあるとき、前記吐水ヘッドの先端は、前記入口部と揃えた位置、又は、前記入口部より奥側に設けられてもよい。
この態様によれば、装置本体に吐水ヘッドが装着されていない状態になり、装置本体の入口部から吐水ヘッドがはみ出ると、その変化が外観に目立って現われ易くなる。このため、未装着状態にある吐水ヘッドを視覚により容易に把握でき、未装着状態であることに伴う不具合を未然に防止できる。
【符号の説明】
【００６４】
１２…吐水装置、２６…吐水ヘッド、２６ｂ…ヘッド本体、２６ｄ…持ち手、２６ｅ…先端、２８…第１センサ部材、３６…装置本体、４２…吐水管（外部部材）、４２ｂ…切欠部、４４…ヘッドホルダー（内部部材）、４４ｈ…ガイド部、４４ｉ…当て部、４６…内部通路、４６ａ…入口部、５０…ヘッド収容室、５２…センサ収容室。
【図１】
2019027252.tif 000003
【図２】
2019027252.tif 000004
【図３】
2019027252.tif 000005
【図４】
2019027252.tif 000006
【図５】
2019027252.tif 000007
【図６】
2019027252.tif 000008
【図７】
2019027252.tif 000009
【図８】
2019027252.tif 000010
【図９】
2019027252.tif 000011
【図１０】
2019027252.tif 000012